(57)【要約】      （修正有）【課題】携帯電話を利用した、ＴＶ放送と同様の１対多の効率的な広告ネットワークの提供。【解決手段】インターネット上にサーバーを用意し、携帯電話の機種ごとに特定のアドレスを付与し、娯楽等からなるコンテンツと、広告主からの情報を配置しておく。一方、携帯電話等への情報書き込み機能を持つ充電装置を、広く公衆の使用に供するように駅、ホテル他に多数配置して、自由に利用可能な状態にしておく。利用者が携帯電話を充電器に接続すると、携帯電話機の通信事業者、機種を判別した上、携帯電話種別に最適なＵＲＬを携帯電話内部のメモリに書き込む。利用者は煩雑なキー入力に悩まされる事無く、機種ごとに最適なサーバー内のコンテンツにアクセスが可能となる。【選択図】図１
2005166000.tif 000002
【特許請求の範囲】
【請求項１】
携帯電話機内部のメモリに情報を書き込む機能のある充電器を広く公衆の利用に供し、多くの携帯電話に特定のＵＲＬ  （Ｕｎｉｆｏｒｍ  Ｒｅｓｏｕｒｃｅ  Ｌｏｃａｔｏｒ）を書き込む事によって、本来的には１対１の通信手段である携帯電話網内に１対多の広報機能を有するように構成されたインターネット上の特定のサーバーと無数の携帯電話からなるネットワーク。
【請求項２】
特定のＵＲＬ  （Ｕｎｉｆｏｒｍ  Ｒｅｓｏｕｒｏｅ  Ｌｏｃａｔｏｒ）の情報を携帯電話機に書き込むにあたって、充電器が個々に持つシリアルナンバーと携帯電話の機種番号を組み合わせて書き込み、同時にサーバー側にシリアル番号と携帯電話機の機種別アドレスを準備する事で携帯電話からアクセスが有った際に携帯電話に対する画像表示を最適化し、利用者の便益を図ると共に充電器の稼動状況や機種ごとのアクセス率などの分析を可能に出来る機能。
【請求項３】
携帯電話あるいはＰＤＡ等の端末機に対する充電機能を持つ物（以下、充電器と称する）であって、利用者が充電を意図して当該端末機を接続する事によって、充電器内部に内蔵された電子計算機のプログラムにより、広告等のメッセージ、電話番号、インターネット上のＵＲＬ（Ｕｎｉｆｏｒｍ  Ｒｅｓｏｕｒｃｅ  Ｌｏｃａｔｏｒ）等が当該端末機に書き込まれる機能を持つ物。
【発明の詳細な説明】
【技術分野】
【０００１】  本発明は情報書き込み機能の有る充電器を利用し、機種別に最適化された携帯端末向け広告網の構築に関する
【背景技術】
【０００２】携帯電話網は本来的に１対１の通信手段であり、ＴＶ放送のような１対多のメディアのように効率の良い広告活動は行いにくい。
従来の携帯電話向け広告には、不特定多数に対し、電子メールを配信するいわゆるダイレクトメールがある。又、携帯電話にインタフェースを介してコマンドを送り電話番号やメールアドレスを記憶させたり、インターネット上に設置された特定のサイトに接続させる器具（非特許文献１参照。）も販売されている。
【非特許文献１】「ハンズフリー接続装置に関する仕様  第１．０版」、株式会社エヌ・ティ・ティ・ドコモ  平成９年６月１９日
【発明の開示】
【発明が解決しようとする課題】
【０００３】近年、普及の進んだ携帯電話等の個人向け端末機（ここでは携帯電話、ＰＨＳ、ＰＤＡなど個人向け情報端末機を含み、以降携帯電話等と称する）に対して、広告活動が行われようとしている。しかし、携帯電話網は本来的に１対１の通信手段であり、ＴＶ放送のような１対多のメディアのように効率の良い広告活動を行いにくい。【０００４】最も障害となるのは携帯電話等の画像表示能力が機種によって画素数、色数、階調数等、大きく異なる事である。例えば、表示能力が画素数２４０×２７０ｄｏｔｓ、色数が２６２，１４４色である携帯電話機の機種に向けて構成されたホームページを画素数９６×７２ｄｏｔｓ白黒２階調の機種で見ると、画面の認識が非常に困難でまったく意味をなさず、広告情報を訴求する事は出来ない。その為、携帯電話の機種ごとに最適化されたホームページを複数用意し、アクセスのたびにそれぞれの機種ごとにユーザーに選択して貰いながらその機種に適したコンテンツに誘導しなければならないのが現状である。
しかし、何枚ものページを自分で選択しなければならないのでは最適なページに行くまでに断念してしまう場合が多い。又、最初から判別不能のページでは誘導自体が不可能な場合も有る。【０００５】更に問題になるのは携帯電話等のキー操作が非常に煩雑な事である。何らかのコンテンツをインターネット上のサーバーに用意し、アクセスを集める為に印刷物やＴＶ放送等の他メディアより告知を行っても、携帯電話等にホームページのアドレスを入力するキー操作が非常に煩雑な作業である為、利用者のアクセスを集める事にはなかなかつながらない。増して、携帯電話機の種別ごとにホームページを用意すると、入力するアドレスが長い為に一層アクセスの手間が掛かってしまう。
煩雑な作業を避ける現在の手法としては、不特定多数や何らかの顧客名簿に対するダイレクトｅメールがあるが、迷惑メールとして逆に広告主や商品のイメージを悪くしてしまう事が多い。【０００６】このようなキー操作の煩雑さをハード的に解決する為に、インタフェースを介して携帯電話等に情報を送り、キー操作を行う事無くインターネット上のサイトに接続させる器具も販売され、あるいは広告主により無償で配布される事があるが、携帯電話等のユーザーに対しその器具を自分の保有する携帯電話等に接続させる積極的な動機が無い為、普及に至っていない。
以上の結果、現状では有効な広告ネットワークは構成出来ていない。
【課題を解決するための手段】
【０００７】このような問題を解決する為に、インターネットに接続したサーバーを用意し、ＴＶ放送と同様、音楽、映像、ゲームなどの娯楽、教養からなるコンテンツと、広告主からの情報を携帯電話等の機種別に最適化したものを作成し、対象となる携帯電話機等の機種ごとのディレクトリに分類し、特定のＵＲＬ（Ｕｎｉｆｏｒｍ  Ｒｅｓｏｕｒｃｅ  Ｌｏｃａｔｏｒ以下ＵＲＬとのみ表記）を割り振って置く。【０００８】一方、情報書き込み機能を持つ電子計算回路を携帯電話等の充電装置に組み込んだ物を製作する。この電子計算回路内部には携帯電話等のユーザーが充電を意図して接続をすると同時に携帯電話等の接続を感知し、携帯電話等の通信事業者、機種を判別した上、携帯電話等の種別と充電器のシリアル番号を組み込んだ特定のＵＲＬを携帯電話等の内部メモリに書き込むようにプログラムを組み込んでおく。【０００９】上記の書き込み機能を有した充電装置を広く公衆の使用に供するように駅、ホテル他、多くの利用者がある所に多数配置し、自由に利用可能な状態にしておく。
【発明の効果】
【００１０】近年、携帯電話等の機能が向上する一方で電力の消費量が大きくなっており携帯電話等のユーザーは常に電池の残量が気になっている。手近に利用可能な充電装置があれば、たとえ広告入りであっても利用者が接続する動機が非常に大きくなる。又、利用者自身の接続するという行為が有るので、電話番号やアドレスが書き込まれる事に対し、迷惑メールのような嫌悪感は発生しない。このような充電器を多数配置しておけば多くの利用者がある事が予想される。【００１１】充電器は携帯電話等に接続されると、まず携帯電話等の機種を判別し、その機種に最適化されたサーバー内のＵＲＬを携帯電話等のメモリに書き込む。【００１２】１度でも充電を行った利用者の携帯電話等にはＵＲＬ情報が書き込まれ、意図して消去しない限り、携帯電話等を使用する何らかの機会に目に触れる事になる。接続操作が簡単なので、利用者は待ち時間など都合の良い時にアクセスを行う事が出来、接続すると機種ごとに最適化された表示になるのでストレス無くコンテンツを楽しむ事が出来る為、広告活動もスムースに行う事が出来る。【００１３】充電器の利用者が増えるに従って接続する人数が増加し、結果としてＴＶ放送網と同様の１対多の効率的な広告ネットワークが形成される。
【発明を実施するための最良の形態】
【００１４】システム全体は図１のように音楽、ゲーム、情報などのコンテンツと広告主から提供される広告情報を含んだサーバー（１００１）と充電器（１００３）から構成される。
サーバー（１００１）は広告主（１００２）からのアクセスが可能となっており、適宜広告の内容を変更可能である。充電器（１００３）は駅、バス停、あるいはタクシーの車内など、公共交通機関や、ホテル、カラオケハウス、喫茶店、レストランなど、不特定多数の人間が利用可能な所に配置する。【００１５】図２はコンテンツと広告を収納しておくサーバーを表している。
サーバー（２００１）は常時インターネットに接続され、内部にＴＶ放送と同様音楽、映像、ゲームなどの娯楽、教養等からなるコンテンツと、広告主からの広告情報が機種別に最適化され、機種ごとのディレクトリに適宜配置し特定のＵＲＬを割り振ってある。
例えば、機種ａａａａの携帯電話（２００２）は画素数２４０×２７０ｄｏｔｓ、色数が２６２，１４４色であるとする。そこで、機種ａａａａの表示に合わせたカラー表示で、最適に設計されたコンテンツを”ａａａａ”という名称のディレクトリ（２００３）に収納しておく。
機種ｃｃｃｃの携帯電話（２００４）が画素数９６×７２ｄｏｔｓ白黒２階調とすると、画像ファイルのサイズや文字数を減らし、文字と背景色が白か黒だけのものを作成し″ｃｃｃｃ″というディレクトリ（２００５）に収納しておく。
コンテンツを表示する為のｈｔｍｌファイルの名称は充電器のシリアル番号をそのまま利用し”ｎｎｎｎ．ｈｔｍｌ”のように充電器の台数分作成し、各ディレクトリに用意しておく。
ここで、注意するべき事は機種ａａａａの為のファイルｎｎｎｎ．ｈｔｍｌとｃｃｃｃの為のｎｎｎｎ．ｈｔｍｌはファイル名称が同一であっても、内容は異なる事である。ディレクトリｃｃｃｃに収納されたｎｎｎｎ．ｈｔｍｌファイルは小型の白黒画面に合わせて作られており、文字数も少なく、改行位置もディレクトリａａａａに収納されたものとは異なる。【００１６】このように構成されたサーバーにはｈｔｔｐ：／／ｗｗｗ．ｚｚｚｚ．ｃｏ．ｊｐ／ａａａａ／ｎｎｎｎ．ｈｔｍｌ（ｚｚｚｚはドメイン、ａａａａは携帯電話の機種、ｎｎｎｎは充電器のシリアル番号）というＵＲＬが割り当てられ、携帯電話等の機種ごとに最適な表示が行われるようになる。【００１７】充電器の設置数を増やせば、それだけ多くのｈｔｍｌファイルを用意しなければならないが、ｈｔｍｌファイルは基本的に文字情報のファイルであり、画像や音源などのファイルはディレクトリ内で共通となるので、各ディレクトリのメモリ容量はそれ程大きくならない。【００１８】図３は情報書き込み機能のある充電器（３００１）と携帯電話等（３００２）が接続された状態を表している。充電器（３００１）は携帯電話等（３００２）に情報を書き込む為、内部にＣＰＵ（３００３）やＲＯＭ（３００４）、ＲＡＭ（３００５）を有し電子計算機を構成している。インタフェース（３００６）に携帯電話等が接続された事を感知すると、充電を開始すると共にＲＯＭ（３００４）内部に書き込まれたプログラムにより携帯電話に対するＵＲＬ情報の書き込みを行う。尚、充電及び情報の書き込み方法については、必ずしも有線による接続に限らず、交流回路の誘導電流による充電や電波、赤外線による通信方式によるものも想定される。【００１９】充電器本体又はその周辺には充電する事により利用者の携帯電話等に魅力的なコンテンツと広告サイトへのＵＲＬが書き込まれる旨、利用者に分かるように明記しておく。【００２０】充電器内部のプログラムは図４のように構成されている。まず携帯電話と接続された事を感知し（４００１）、携帯電話機内部より機種情報を取得して、対応機種かどうかの判別を行う（４００２）。携帯電話等の機種が対応していないか、機種情報が取得できない場合はデータの書き込みは行わず処理を終了し、充電のみを行う。携帯電話が対応している機種の場合、携帯電話の機種とシリアル番号をあらかじめ用意されたサーバーのドメインに付加し、例えばｈｔｔｐ：／／ｗｗｗ．ｚｚｚｚ，ｃｏ．ｊｐ／ａａａａ／ｎｎｎｎ．ｈｔｍｌ（ｚｚｚｚはドメイン、ａａａａは携帯電話の機種、ｎｎｎｎは充電器のシリアル番号）のようにインターネット上のＵＲＬ（Ｕｎｉｆｏｒｍ  Ｒｅｓｏｕｒｃｅ  Ｌｏｃａｔｏｒ）のデータを生成する（４００３）。
生成されたデータは携帯電話等に書き込まれた（４００４）後、一度携帯電話から読み出し、充電器内部のデータと照合を行う（４００５）。もしデータが正しくなかった場合、再度機種情報取得（４００２）に戻ってやり直す。携帯電話から読み出した内容が正しければ書き込み処理を終了する。書き込みが終了した時点で一度コンテンツの用意されたサーバーへの接続を行う（４００６）ようにプログラムしても良いが、利用者の反応を考慮して決定するべきである。【００２１】携帯電話等の利用者はまず、街頭、あるいはホテル等で充電器を見かけ、電池の充電残量が気になり、魅力的なコンテンツという事もあり、充電を行おうという動機が発生する。しかし一方、「タダ程高い物は無い」という犯罪等への警戒心が発生するが、広告入りである事を告知してあるので納得し安心感を持って接続を行う。【００２２】充電器は携帯電話機等に接続されるまで待機状態にある。携帯電話等が充電器に接続されると電流が発生する。それを検知すると充電器は携帯電話に対し機種番号を要求し、携帯電話等は機種番号を送出する。充電器は受信した機種番号より携帯電話等のメーカー、機種を判別し機種に合わせた方式によりＵＲＬ情報の書き込みを開始する。
情報の書き込みに適さない機種である場合は、充電電流のみを送り、情報の書き込みは行われない。【００２３】利用者は待ち合わせ時間等、自己に都合の良い時に自分の意志でサーバーにアクセスし、内部のコンテンツを楽しむと同時に広告主からの広告情報を受取る。携帯電話等には、すでにアドレスが書き込まれているので、利用者に煩雑なキー操作を強いる事は不要であり、わずかな空き時間でもアクセスが可能である。【００２４】利用者がアクセスすると、その携帯電話等の表示能力に合わせて最適なコンテンツや広告にただちに接続される為、ストレス無く楽しむ事が出来る。
広告主から提供された情報に利用者からのアクセスが発生すると、広告主からの広告収入が発生する。【００２５】一度でも充電器を使用した利用者の携帯電話等のメモリにはＵＲＬが残るので、期間の経過と共にサーバーには多くの携帯電話等利用者から恒常的なアクセスが発生する。利用者は利用のたびに内部のコンテンツと共に広告主から提供される広告情報に接する事となる。その結果、ＴＶ放送網等と同様の効率的な広告ネットワークが構成される。
広告主からの広告料は一般的にアクセス数に応じた形で支払われる為、アクセスの増加と共に広告収入が期待される。【００２６】充電器それぞれのシリアル番号と携帯電話等の機種別にＵＲＬが生成されているので、サーバーへのアクセス記録を統計、分析する事によって携帯電話等の機種別利用状況や地域別分布、充電器の稼動状況などの情報が得られる。これらの情報はコンテンツや広告情報を作成する上で重要な情報となる。
【図面の簡単な説明】
【図１】  コンテンツや広告情報を内蔵したサーバーと無数の携帯電話が充電器によって書き込まれた情報によって、仮想的なネットワークを構成している状態を表す図。
【図２】  携帯電話の機種ごとに異なる表示能力に合わせてコンテンツや広告情報が作成され、分類されてサーバーに収蔵されている状態を表す図。
【図３】  携帯電話等に充電を行いながら機種別に最適化されたＵＲＬを書き込む機能を有する充電器のハードウェアの構成図
【図４】  携帯電話等に充電を行いながら機種別に最適化されたＵＲＬを書き込む機能を有する充電器のソフトウェアのフロー図
【符号の説明】
（１００１）音楽、ゲーム、情報などのコンテンツと広告主から提供される広告情報を収蔵したサーバー
（１００２）このネットワークを通じて製品等の告知を行おうとする広告主
（１００３）情報書き込み機能を有する充電器
（１００４）充電器を利用することによってＵＲＬが書き込まれた携帯電話等
（２００１）映像、ゲームなどの娯楽、教養等からなるコンテンッと、広告情報が機種別に最適化され、機種ごとのディレクトリに特定のＵＲＬを割り振って収納してあるサーバー
（２００２）画素数２４０×２７０ｄｏｔｓ、色数が２６２，１４４色である機種ａａａａの携帯電話等
（２００３）携帯電話等ａａａａの表示能力に合わせ、最適に設計されたコンテンツを収蔵する”ａａａａ”という名称のディレクトリ
（２００４）画素数９６×７２ｄｏｔｓ白黒２階調である機種ｃｃｃｃの携帯電話
（２００５）携帯電話等ｃｃｃｃの表示能力に合わせ、最適に設計されたコンテンツを収蔵する”ｃｃｃｃ”という名称のディレクトリ
（３００１）情報書き込み機能のある充電器
（３００２）携帯電話等
（３００３）充電器に内蔵され、情報書き込み操作を行うＣＰＵ
（３００４）充電器に内蔵され、携帯電話に書き込み操作を行うプログラムが収納されている読み出し専用メモリ
（３００５）充電器に内蔵され、携帯電話に書き込み操作を行う際に一時的に使用するメモリ
（４００１）充電器内部のプログラムで携帯電話等が充電器に接続されたかどうかを判定する部分
（４００２）充電器内部のプログラムで携帯電話機内部より機種情報を取得して、対応機種かどうかの判別を行う部分
（４００３）充電器内部のプログラムで、携帯電話等の機種とシリアル番号をサーバーのドメインに付加し、ＵＲＬ（Ｕｎｉｆｏｒｍ  Ｒｅｓｏｕｒｃｅ  Ｌｏｃａｔｏｒ）データを生成する部分
（４００４）充電器内部のプログラムで携帯電話等にＵＲＬのデータを書き込む部分
（４００５）充電器内部のプログラムで、ＵＲＬデータが携帯電話等に正しく書きこまれたか照合を行う部分
（４００６）充電器内部のプログラムで、ＵＲＬデータの書き込みが終了した時点でサーバー内のコンテンツに接続を行う部分
【図１】
2005166000.tif 000003
【図２】
2005166000.tif 000004
【図３】
2005166000.tif 000005
【図４】
2005166000.tif 000006